(57)【要約】【課題】本発明は、周辺光量落ちの影響を受けにくい自動露出制御の実現が可能な撮像装置を提供する。【解決手段】レンズの光学状態に対応した周辺光量落ちのデータを記憶しておき、取得したレンズの光学状態に応じた周辺光量落ちのデータを記憶された周辺光量落ちのデータから選択し、選択された周辺光量落ちのデータに応じて露出を変更する。【選択図】図２
2010014936.tif 000002
【特許請求の範囲】
【請求項１】
レンズを通った光を光電変換する光電変換手段と、前記光電変換された画像データにおける測光に用いる領域を測光枠として決定する測光枠決定手段と、前記決定された測光枠より測光値を取得する測光値取得手段と、前記取得された測光値より評価値を算出する評価値算出手段と、適正露出になったときの評価値である目標値を記憶する目標値記憶手段と、前記算出された評価値を前記目標値に近づけるように露出を制御する露出制御手段とを備える撮像装置において、
前記レンズの光学状態を取得する光学状態取得手段と、
前記光学状態に対応した周辺光量落ちのデータを記憶する周辺光量落ちデータ記憶手段と、
前記周辺光量落ちデータ記憶手段から、前記取得された光学状態に応じた周辺光量落ちのデータを選択する周辺光量落ちデータ選択手段とを備え、
前記露出制御手段は、前記選択された周辺光量落ちのデータに応じて露出を制御することを特徴とする撮像装置。
【請求項２】
前記周辺光量落ちのデータに応じて前記測光枠を変更することを特徴とする請求項１記載の撮像装置。
【請求項３】
前記周辺光量落ちのデータに応じて前記評価値算出手段による評価値の算出方法を変更することを特徴とする請求項１記載の撮像装置。
【請求項４】
前記周辺光量落ちのデータに応じて前記目標値を変更することを特徴とする請求項１記載の撮像装置。
【請求項５】
レンズを通った光を光電変換する光電変換手段と、前記光電変換された画像データにおける測光に用いる領域を測光枠として決定する測光枠決定手段と、前記決定された測光枠より測光値を取得する測光値取得手段と、前記取得された測光値より評価値を算出する評価値算出手段と、適正露出になったときの評価値である目標値を記憶する目標値記憶手段と、前記算出された評価値を前記目標値に近づけるように露出を制御する露出制御手段とを備える撮像装置において、
前記レンズの光学状態を取得する光学状態取得手段と、
前記光学状態に対応した測光枠を記憶する測光枠記憶手段と、
前記測光枠記憶手段から、前記取得された光学状態に応じた測光枠を選択する測光枠選択手段とを備えることを特徴とする撮像装置。
【請求項６】
レンズを通った光を光電変換する光電変換手段と、前記光電変換された画像データにおける測光に用いる領域を測光枠として決定する測光枠決定手段と、前記決定された測光枠より測光値を取得する測光値取得手段と、前記取得された測光値より評価値を算出する評価値算出手段と、適正露出になったときの評価値である目標値を記憶する目標値記憶手段と、前記算出された評価値を前記目標値に近づけるように露出を制御する露出制御手段とを備える撮像装置において、
前記レンズの光学状態を取得する光学状態取得手段と、
前記光学状態に対応する補正係数を記憶する記憶手段とを備え、
前記評価値算出手段は、前記記憶手段から、前記取得された光学状態に応じた補正係数に基づいて評価値を算出することを特徴とする撮像装置。
【請求項７】
レンズを通った光を光電変換する光電変換手段と、前記光電変換された画像データにおける測光に用いる領域を測光枠として決定する測光枠決定手段と、前記決定された測光枠より測光値を取得する測光値取得手段と、前記取得された測光値より評価値を算出する評価値算出手段と、適正露出になったときの評価値である目標値を記憶する目標値記憶手段と、前記算出された評価値を前記目標値に近づけるように露出を制御する露出制御手段とを備える撮像装置において、
前記レンズの光学状態を取得する光学状態取得手段と、
前記光学状態に対応する目標値を記憶する目標値記憶手段と、
前記目標値記憶手段から、前記取得された光学状態に応じた目標値を選択する目標値選択手段とを備えることを特徴とする撮像装置。
【請求項８】
撮像装置の露出制御方法において、
レンズの光学状態を取得する取得工程と、
記憶手段から前記取得工程にて取得された光学状態に対応した周辺光量落ちのデータを選択する選択工程と、
前記選択された周辺光量落ちのデータに応じて露出を制御する露出制御工程とを備えることを特徴とする撮像装置の露出制御方法。
【請求項９】
撮像装置の露出制御方法において、
レンズの光学状態を取得する取得工程と、
記憶手段から前記取得工程にて取得された光学状態に対応した測光枠を選択する選択工程とを備えることを特徴とする撮像装置の露出制御方法。
【請求項１０】
撮像装置の露出制御方法において、
レンズの光学状態を取得する取得工程と、
記憶手段から前記取得工程にて取得された光学状態に対応した補正係数を選択し、選択された前記補正係数に基づいて評価値を算出する算出工程とを備えることを特徴とする撮像装置の露出制御方法。
【請求項１１】
撮像装置の露出制御方法において、
レンズの光学状態を取得する取得工程と、
記憶手段から前記取得工程にて取得された光学状態に対応した目標値を選択する選択工程とを備えることを特徴とする撮像装置の露出制御方法。
【発明の詳細な説明】
【技術分野】
【０００１】
本発明は、周辺光量落ちの生じるレンズを用いた撮像装置の露出制御方法に関する。
【背景技術】
【０００２】
デジタルビデオカメラなどの撮像装置において、露出は絞り、シャッター、ＮＤ、ゲインなどで決まる。近年のデジタルビデオカメラは適正な露出になるようにこれらの諸要素を自動で制御している。従来の自動露出制御方法について図８を参照して説明する。
【０００３】
図８において、まず、ＣＭＯＳやＣＣＤなどで撮像した画像データを取得する（ステップＳ８０１）。次に、取得した画像データより測光値を取得する（ステップＳ８０２）。測光値は画像データの輝度信号の平均値や積分値などが使用される。測光値を取得する際には、予め枠（以下、「測光枠」とする）が決められており、枠内の画像データを使用して測光値を取得する。測光枠は測光方法によって異なる。例えば、画面に表示される画像全体を適正露出にする平均測光では画像データ全体を測光枠とする。また、主被写体が中央にあることを仮定して中央部を重点的に適正露出にする中央重点測光では、中央部と周辺部の測光値が別に得られるような測光枠の配置とする。
【０００４】
次に、取得した測光値を元に評価値を算出する（ステップＳ８０３）。評価値の算出方法は測光方式により異なる。例えば、平均測光では、画像データ全体の平均測光値を評価値とする。また、中央重点測光では、中央部に重みをつけて評価値を算出する。例えば、測光値が枠内の画素の輝度平均値であるとすると、中央部の測光枠より得られる測光値をＮ倍し、周辺部の測光枠より得られる測光値と加算し、Ｎ＋１で割った値を評価値とする。これにより、中央部にＮ倍の重みをつけて評価値を算出することができる。評価値の算出方法は様々有り、製品、撮影モードにより異なる。
【０００５】
次に、予め記憶されている適正露出となったときの評価値である目標値と算出された評価値とを比較する（ステップＳ８０４）。そして、評価値が目標値に近づくように、アイリス、ＮＤ、シャッター、ゲインなどの露出を変更する（ステップＳ８０５）。ステップＳ８０５で決定した露出で次の画像データを取得し（ステップＳ８０１）、以下上記と同様のことを行う。このようにして自動露出制御を行う。
【０００６】
しかしながら、周辺光量落ちが生じている際、周辺部で光量が落ちていることに起因して画像データ全体の輝度平均値は落ちる。そこで評価値が目標値に近づくように露出を上げる。つまり、被写体に関わらず、周辺光量落ちの影響で露出が上がる。また、周辺光量落ちが生じると、測光方式により差分は生じるが、概して中央部は適正な露出より高くなってしまう。
【０００７】
周辺光量落ちの対策として画像処理部において周辺の光量落ち分を画素単位で補正し、その画像データを元に露出を決定する方法が提案されている（例えば、特許文献１参照）。この方法であれば周辺の光量を補正した後の画像データを用いて露出を決定しているため、周辺光量落ちの影響を受けず、周辺光量落ちの無いレンズと近い露出とすることができる。
【特許文献１】特開２００７−１２９３２８号公報
【発明の開示】
【発明が解決しようとする課題】
【０００８】
しかしながら、周辺光量落ちの補正の無いシステムでは、上述したように画面中央部に映る被写体が適正な露出より高くなってしまう。これは白とびの原因となり、画質劣化の要因となる。また、周辺光量落ちはアイリス、ズーム、フォーカスなどの光学系の状態に応じて変化する。そのため、同一被写体であってもレンズの状態に応じて露出が異なってしまう。
【０００９】
本発明は、上記問題に鑑みて成されたものであり、周辺光量落ちの影響を受けにくい露出制御を実現することを目的とする。
【課題を解決するための手段】
【００１０】
上記目的を達成するために、請求項１記載の撮像装置は、レンズを通った光を光電変換する光電変換手段と、前記光電変換された画像データにおける測光に用いる領域を測光枠として決定する測光枠決定手段と、前記決定された測光枠より測光値を取得する測光値取得手段と、前記取得された測光値より評価値を算出する評価値算出手段と、適正露出になったときの評価値である目標値を記憶する目標値記憶手段と、前記算出された評価値を前記目標値に近づけるように露出を制御する露出制御手段とを備える撮像装置において、前記レンズの光学状態を取得する光学状態取得手段と、前記光学状態に対応した周辺光量落ちのデータを記憶する周辺光量落ちデータ記憶手段と、前記周辺光量落ちデータ記憶手段から、前記取得された光学状態に応じた周辺光量落ちのデータを選択する周辺光量落ちデータ選択手段とを備え、前記露出制御手段は、前記選択された周辺光量落ちのデータに応じて露出を変更することを特徴とする。
【００１１】
上記目的を達成するために、請求項５記載の撮像装置は、レンズを通った光を光電変換する光電変換手段と、前記光電変換された画像データにおける測光に用いる測光枠として決定する測光枠決定手段と、前記決定された測光枠より測光値を取得する測光値取得手段と、前記取得された測光値より評価値を算出する評価値算出手段と、適正露出になったときの評価値である目標値を記憶する目標値記憶手段と、前記算出された評価値を前記目標値に近づけるように露出を制御する露出制御手段とを備える撮像装置において、前記レンズの光学状態を取得する光学状態取得手段と、前記光学状態に対応した測光枠を記憶する測光枠記憶手段と、前記測光枠記憶手段から、前記取得された光学状態に応じた測光枠を選択する測光枠選択手段とを備えることを特徴とする。
【００１２】
上記目的を達成するために、請求項６記載の撮像装置は、レンズを通った光を光電変換する光電変換手段と、前記光電変換された画像データにおける測光に用いる領域を測光枠として決定する測光枠決定手段と、前記決定された測光枠より測光値を取得する測光値取得手段と、前記取得された測光値より評価値を算出する評価値算出手段と、適正露出になったときの評価値である目標値を記憶する目標値記憶手段と、前記算出された評価値を前記目標値に近づけるように露出を制御する露出制御手段とを備える撮像装置において、前記レンズの光学状態を取得する光学状態取得手段と、前記光学状態に対応する補正係数を記憶する記憶手段とを備え、前記評価値算出手段は、前記記憶手段から、前記取得された光学状態に応じた補正係数に基づいて評価値を算出することを特徴とする。
【００１３】
上記目的を達成するために、請求項７記載の撮像装置は、レンズを通った光を光電変換する光電変換手段と、前記光電変換された画像データにおける測光に用いる領域を測光枠として決定する測光枠決定手段と、前記決定された測光枠より測光値を取得する測光値取得手段と、前記取得された測光値より評価値を算出する評価値算出手段と、適正露出になったときの評価値である目標値を記憶する目標値記憶手段と、前記算出された評価値を前記目標値に近づけるように露出を制御する露出制御手段とを備える撮像装置において、前記レンズの光学状態を取得する光学状態取得手段と、前記光学状態に対応する目標値を記憶する目標値記憶手段と、前記目標値記憶手段から、前記取得された光学状態に応じた目標値を選択する目標値選択手段とを備えることを特徴とする。
【００１４】
上記目的を達成するために、請求項８記載の撮像装置の露出制御方法は、撮像装置の露出制御方法において、レンズの光学状態を取得する取得工程と、記憶手段から前記取得工程にて取得された光学状態に対応した周辺光量落ちのデータを選択する選択工程と、前記選択された周辺光量落ちのデータに応じて露出を変更する露出制御工程とを備えることを特徴とする。
【００１５】
上記目的を達成するために、請求項９記載の撮像装置の露出制御方法は、撮像装置の露出制御方法において、レンズの光学状態を取得する取得工程と、記憶手段から前記取得工程にて取得された光学状態に対応した測光枠を選択する選択工程とを備えることを特徴とする。
【００１６】
上記目的を達成するために、請求項１０記載の撮像装置の露出制御方法は、撮像装置の露出制御方法において、レンズの光学状態を取得する取得工程と、記憶手段から前記取得工程にて取得された光学状態に対応した補正係数を選択し、選択された前記補正係数に基づいて評価値を算出する算出工程とを備えることを特徴とする。
【００１７】
上記目的を達成するために、請求項１１記載の撮像装置の露出制御方法は、撮像装置の露出制御方法において、レンズの光学状態を取得する取得工程と、前記記憶手段から前記取得工程にて取得された光学状態に対応した目標値を選択する選択工程とを備えることを特徴とする。
【発明の効果】
【００１８】
本発明によれば、レンズの光学状態に対応した周辺光量落ちのデータを選択し、選択した周辺光量落ちのデータに応じて露出を変更する。これにより、周辺光量落ちの影響を受けにくい露出制御を実現することができる。
【発明を実施するための最良の形態】
【００１９】
以下、本発明の実施形態を図面を参照して詳細に説明する。
【００２０】
［第１の実施形態］
図１は、本発明の第１の実施形態に係る撮像装置の一例としてデジタルビデオカメラの概略構成を示すブロック図である。
【００２１】
図１において、ＣＭＯＳ、ＣＣＤなどで構成される撮像部１０２は、アイリス、レンズなどの光学系１０１を通った光を光電変換する。光電変換された信号はＴＧ（タイミング発生器）１０３で制御され、フレームレートに応じて撮像部１０２より出力される。出力された信号は、ＡＦＥ（アナログフロントエンド）回路１０４でＡ/Ｄ変換やゲインコントロールが行われ、カメラ信号処理部１０５に送られる。
【００２２】
カメラ信号処理部１０５では、ガンマ補正や輪郭補正、色ゲイン補正などの画像信号処理が行われる。カメラ信号処理部１０５で画像処理されたデータの静止画用画像信号は、静止画記録媒体１０６に送られ記録される。動画用画像信号は、ビデオ信号処理部１０７を経て動画記録媒体１０８に送られ記録される。また、静止画用画像信号または動画用画像信号は、カメラ信号処理部１０５から表示回路１０９に送られ、ＬＣＤ等の表示装置１１０で静止画または動画として表示される。
【００２３】
カメラ信号処理部１０５に送られた画像データは検波部１１１にも送られる。検波部１１１では、画像データの輝度情報や色情報をＣＰＵ１１２に出力する。
【００２４】
ＣＰＵ１１２は、光学系１０１、ＴＧ１０３、カメラ信号処理部１０５、ビデオ信号処理部１０７を制御する。これらは、光学系制御回路１１３より送られるアイリスの位置やズームの位置などの光学系１０１の状態に関する情報、操作部１１４でユーザが操作した情報、また検波部１１１より送られた輝度情報や色情報などに基づいて制御される。
【００２５】
自動露出制御は、検波部１１１で得られた画像データの輝度値に基づいて、ＣＰＵ１１２が光学系１０１やＴＧ１０３などを制御することで行われている。
【００２６】
次に、第１の実施形態における自動露出方法について説明する。
【００２７】
第１の実施形態では、光学系制御回路１１３より得た情報に応じて、ＣＰＵ１１２が周辺光量落ちのデータを選択し、選択した周辺光量落ちデータをもとに測光枠を決定して検波することで、周辺光量落ちの影響を減らす。
【００２８】
図２は、本発明の第１の実施形態における自動露出制御の流れを示すフローチャートである。本実施の形態では、測光方式として平均測光を用いることとし、測光値は測光枠内の画素データの輝度積分値とする。
【００２９】
ＣＰＵ１１２は、光学系制御回路１１３より、周辺光量落ちに影響のあるアイリス、ズーム、焦点などの状態の情報（以下、「光学状態」とする）を取得する（ステップＳ２０１）（光学状態取得手段）。次に、ＣＰＵ１１２は、取得した光学状態情報に応じて、記憶してある周辺光量落ちのデータを選択する（ステップＳ２０２）（周辺光量落ちデータ選択手段）。ＣＰＵ１１２には、予め光学状態に応じた周辺光量落ちのデータが記憶されている（周辺光量落ちデータ記憶手段）。この周辺光量落ちのデータは、レンズのシミュレーション結果であっても、光学状態を変化させながら均一被写体を実際に撮影して取得したものであってもよい。また、周辺光量落ちのデータは表示装置１１０の画面に表示される位置に応じた輝度値の相対的な関係を示した値となる。周辺光量落ちのデータの一例を図３（ａ）〜図３（ｃ）に示す。図示例では、画面を１６×９分割し、それぞれの枠の輝度平均値を正規化し、中央を１００としたときの相対的な輝度平均値を示している。
【００３０】
周辺光量落ちのデータ３０１，３０２，３０３は、光学状態が変化したときのデータの一例を示している。ステップＳ２０２では、光学系制御回路１１３より得た光学状態に応じて、例えば、周辺光量落ちのデータ３０１が選ばれる。
【００３１】
図２に戻り、ステップＳ２０３では、ＣＰＵ１１２は、測光枠を決定する（測光枠決定手段）。測光枠の決定には、ステップＳ２０２で選択された周辺光量落ちのデータが使用される。本実施の形態では、平均測光を用いているため、画像データ全体の測光値がわかればよい。しかしながら、周辺光量落ちの影響を減らすため、周辺光量落ちが１０％より大きい部分は測光しないこととする。図３（ａ）〜図３（ｃ）に示したデータ３０１〜３０３における測光枠の一例を図４（ａ）〜図４（ｃ）に示す。同図において、データ３０１の周辺光量落ち１０％以下未満の領域はデータ４０１の斜線部となる。この領域を測光枠とする。
【００３２】
図２に戻り、ステップＳ２０４では、カメラ信号処理部１０５から検波部１１１に画像データが送られる。つづいて、検波部１１１は、例えば、データ４０１における測光枠より測光値を取得する（ステップＳ２０５）（測光値取得手段）。得られた測光値は検波部１１１よりＣＰＵ１１２に送られ、該測光値からＣＰＵ１１２が評価値を算出する（ステップＳ２０６）（評価値算出手段）。本実施形態では、平均測光を用いているため、画像データ全体の輝度平均値を評価値とする。測光値は積分値であるため、測光枠の画素数で測光値を割り、それらの平均値を算出して評価値とする。
【００３３】
次に、ＣＰＵ１１２は、評価値と目標値を比較し（ステップＳ２０７）、評価値が目標値に近づくように露出を変更する（ステップＳ２０８）。ＣＰＵ１１２には、適正露出となったときの評価値である目標値を予め記憶しておく（目標値記憶手段）。以上のようにして、自動露出制御が行われる。
【００３４】
なお、露出の変更に伴うアイリスの変更や、ユーザの操作によるズーム位置の変更、焦点位置の変更などにより光学状態に変化が生じると、選択する周辺光量落ちのデータが変更される。そのため、次に自動露出制御が行われる際に、例えば、光学状態の変化に応じて、データ３０１からデータ３０２に変更された場合、ステップＳ２０３では、測光枠がデータ４０１の測光枠からデータ４０２の測光枠に変更される。
【００３５】
本実施の形態では、周辺光量落ちデータをＣＰＵ１１２に予め記憶していたが、光学状態に対応した周辺光量落ちデータより測光枠を決定しておき、光学状態に対応した測光枠として記憶しておいてもよい（測光枠記憶手段）。例えば、光学状態に応じて、データ４０１，４０２，４０３のいずれかの測光枠を選択する（測光枠選択手段）。このように構成することにより、周辺光量落ちのデータを記憶する必要が無くなり、予め記憶しておくデータ量を減らすことができる。
【００３６】
上記第１の実施形態によれば、周辺光量落ちのデータに応じて周辺光量落ちの少ない部分を測光枠として使用するので、周辺光量落ちの影響が少ない自動露出制御が可能となる。
【００３７】
［第２の実施形態］
本発明の第２の実施形態に係る撮像装置は、その構成（図１）が上記第１の実施形態に係る撮像装置と同じであり、上記第１の実施形態と同様の部分については、同一の符号を用いてその説明を省略する。以下に、上記第１の実施形態と異なる点のみを説明する。
【００３８】
第２の実施形態では、光学系制御回路１１３より得た情報に応じて、ＣＰＵ１１２が周辺光量落ちのデータを選択し、選択した周辺光量落ちのデータに応じて評価値の算出方法を変更することで、周辺光量落ちの影響を減らす。
【００３９】
図５は、本発明の第２の実施形態における自動露出制御の流れを示すフローチャートである。
【００４０】
まず上記第１の実施形態と同様に、ＣＰＵ１１２は、光学系制御回路１１３より、周辺光量落ちに影響のあるアイリス、ズーム、焦点などの光学状態の情報を取得する（ステップＳ５０１）。次に、周辺光量落ちのデータを選択する（ステップＳ５０２）。ここでは、ＣＰＵ１１２は、光学状態により、データ３０１を選択したとする。
【００４１】
次に、カメラ信号処理部１０５から検波部１１１に画像データが送られる（ステップＳ５０３）。つづいて、検波部１１１は、カメラ信号処理部１０５から画像データが送られると、予め決められている測光枠より測光値を取得する。本実施の形態における測光枠の一例を図６に示す。例えば、１９２０×１０８０画素の画面を図６に示すような画素数で分け、測光枠６０１，６０２，６０３，６０４，６０５とする。そして、検波部１１１は、測光枠６０１，６０２，６０３，６０４，６０５のそれぞれで測光値を取得する（ステップＳ５０４）（測光値取得手段）。
【００４２】
次に、ＣＰＵ１１２は、ステップＳ５０４で得られた測光値から評価値を算出する（ステップＳ５０５）（評価値算出手段）。評価値の算出には、まず周辺光量落ちのデータより測光値に補正係数を掛ける。例えば、周辺光量落ちのデータとしてデータ３０１を用いて評価値を算出すると、周辺光量落ちの無い場合に対して測光値の百分率は測光枠（領域）６０１と６０３では９３．５％、測光枠６０２では９８．３％、測光枠６０４と６０５では９２．６％である。そこで、測光値に対してレンズで光量落ちした分を補正する。測光枠６０１と６０３の測光値には１００／９３．５、測光枠６０２の測光値には１００／９８．３、測光枠６０４と６０５の測光値には１００／９２．６を掛けたものを算出する。次に、中央重点測光や平均測光など、それぞれの枠に重みをつけて評価値を算出する。
【００４３】
次に、ＣＰＵ１１２は、評価値と目標値の比較を行い（ステップＳ５０６）、評価値が目標値に近づくように露出を変更する（ステップＳ５０７）。ＣＰＵ１１２には、適正露出となったときの評価値である目標値を予め記憶しておく（目標値記憶手段）。
【００４４】
なお、露出の変更に伴うアイリスの変更や、ユーザの操作によるズーム位置の変更、焦点位置の変更などにより光学状態に変化が生じると、周辺光量落ちのデータが変更される。例えば、光学状態がデータ３０１からデータ３０２に変化したとすると、測光枠６０１と６０３の光量は９０．１％、測光枠６０２の光量は９７．３％、測光枠６０４と６０５は８８．９％となる。そのため、次に自動露出制御が行われる際に、測光値に対して、この光量落ちを補正した数値を用いて評価値を算出し、以下同様にして露出を決定する。
【００４５】
なお、光学状態に対応した周辺光量落ちデータより各測光枠に掛ける補正係数を決定しておき、光学状態に対応した補正係数として記憶しておき（係数記憶手段）、光学状態に応じた補正係数に基づいて評価値を算出してもよい。このように構成することにより、周辺光量落ちのデータを記憶する必要が無くなり、予め記憶しておくデータ量を減らすことができる。
【００４６】
上記第２の実施形態によれば、周辺光量落ちのデータに応じて測光値に対して補正を行った値で評価値を算出するため、周辺光量落ちの無い時と近い自動露出制御が可能となる。
【００４７】
［第３の実施形態］
本発明の第３の実施形態に係る撮像装置は、その構成（図１）が上記第１の実施形態に係る撮像装置と同じであり、上記第１の実施形態と同様の部分については、同一の符号を用いてその説明を省略する。以下に、上記第１の実施形態と異なる点のみを説明する。
【００４８】
第３の実施形態では、光学系制御回路１１３より得た情報に応じて、ＣＰＵ１１２が周辺光量落ちのデータを選択し、選択した周辺光量落ちのデータに応じて目標値を変更することで、周辺光量落ちの影響を減らす。
【００４９】
図７は、本発明の第３の実施形態における自動露出制御の流れを示すフローチャートである。
【００５０】
まず、上記第１の実施形態と同様に、ＣＰＵ１１２は、光学系制御回路１１３より、周辺光量落ちに影響のあるアイリス、ズーム、焦点などの光学状態の情報を取得する（ステップＳ７０１）。次に、周辺光量落ちのデータを選択する（ステップＳ７０２）。ここでは、ＣＰＵ１１２は、光学状態により、データ３０１の周辺光量落ちのデータを選択したとする。
【００５１】
次に、ＣＰＵ１１２は、目標値を決定する（ステップＳ７０３）。ここでは、周辺光量落ちで落ちた光量分、目標値を下げる。例えば、測光方式が平均測光である場合、データ３０１では画面全体の輝度平均は周辺光量落ちの無い状態に比べて９４．６％である。元々の目標値を５０ＩＲＥとすると、目標値は４７．３（＝５０×９４．６／１００）ＩＲＥとなる。なお、他の測光方式では、それぞれの測光方式に用いた評価値の算出手段を踏まえた上で、周辺光量落ちで落ちた分、目標値を下げる。
【００５２】
次に、カメラ信号処理部１０５から検波部１１１に画像データが送られる（ステップＳ７０４）。つづいて、検波部１１１は、画像データより測光値を取得する（ステップＳ７０５）。次に、ＣＰＵ１１２は、測光値より評価値を算出し（ステップＳ７０６）、ステップＳ７０３で決めた目標値と評価値を比較する（ステップＳ７０７）。この結果より露出を変更する（ステップＳ７０８）。
【００５３】
なお、光学状態に対応した周辺光量落ちデータより測光方式に応じた目標値を決定しておき、光学状態に対応した目標値を記憶しておき（目標値記憶手段）、光学状態に対応した目標値を選択（目標値選択手段）してもよい。このように構成することにより、周辺光量落ちのデータを記憶する必要が無くなり、予め記憶しておくデータ量を減らすことができる。
【００５４】
上記第３の実施形態によれば、周辺光量落ちのデータに応じて周辺光量落ちの光量分、目標値を下げ、露出を決定するので、周辺光量落ちの無い時と近い自動露出制御が可能となる。
【００５５】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【００５６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００５７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５８】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００５９】
【図１】本発明の実施形態に係る撮像装置の一例としてデジタルビデオカメラの概略構成を示すブロック図である。
【図２】本発明の第１の実施形態における自動露出制御の流れを示すフローチャートである。
【図３】周辺光量落ちデータの一例を示す図である。
【図４】第１の実施形態における測光枠の一例を示す図である。
【図５】本発明の第２の実施形態における自動露出制御の流れを示すフローチャートである。
【図６】第２の実施形態における測光枠の一例を示す図である。
【図７】本発明の第３の実施形態における自動露出制御の流れを示すフローチャートである。
【図８】従来例における自動露出制御の流れを示すフローチャートである。
【符号の説明】
【００６０】
１０１  光学系
１０２  操作部
１０３  ＴＧ
１０４  ＡＦＥ
１０５  カメラ信号処理部
１０６  静止画記録媒体
１０７  ビデオ信号処理部
１０８  動画記録媒体
１０９  表示回路
１１０  表示装置
１１１  検波部
１１２  ＣＰＵ
１１３  光学系制御回路
１１４  操作部
【図１】
2010014936.tif 000003
【図２】
2010014936.tif 000004
【図３】
2010014936.tif 000005
【図４】
2010014936.tif 000006
【図５】
2010014936.tif 000007
【図６】
2010014936.tif 000008
【図７】
2010014936.tif 000009
【図８】
2010014936.tif 000010